(57)【特許請求の範囲】
【請求項１】
フレームと、該フレームを包み込むと共にペット飼育用空間の壁体を構成する軟質シート部材とを備えたペット飼育用空間形成具であって、
前記軟質シート部材からなる壁体に形成された上下に延びるスリット部と、該スリット部を挟む両側の前記軟質シート部材に上下に延びる骨部材を取り付けてなり、柵体を内外から挟持して取り付けるペット用給水具を前記スリット部に取り付け可能にしたことを特徴とするペット飼育用空間形成具。
【請求項２】
前記スリット部の両側に袋部が形成され、骨部材は該袋部に挿入されていることを特徴とする請求項１記載のペット飼育用空間形成具。
【請求項３】
前記スリット部の上下方向の途中において、前記スリット部を跨いで軟質シート部材を連結する連結部材が取り付けられ、スリット部の隙間が開くのを規制したことを特徴とする請求項１又は２に記載のペット飼育用空間形成具。
【請求項４】
前記ペット飼育用空間形成具は、ペットサークル又はペットケージであることを特徴とする請求項１〜３のいずれかに記載のペット飼育用空間形成具。
【発明の詳細な説明】
【技術分野】
【０００１】
本発明は、フレーム体と、該フレーム体を包み込むと共に壁体を構成する軟質シート部材によって形成されるペット用サークル、ペットケージ等のペット飼育用空間形成具に関する。
【背景技術】
【０００２】
ペット用サークルとして、例えば特許文献１に開示された「剛性を有するペット用軟質囲い」がある。
「剛性を有するペット用軟質囲い」は、「剛性を有するペット用軟質囲いであって、フレーム体と軟質材料で作られた籠体とを含み、前記籠体は前記フレーム体によって保持され、前記フレーム体は同様な寸法の八個の保持輪を有し、前記八個の保持輪は四角形であり、四個の剛性保持輪と四個の軟性保持輪を含み、前記四個の剛性保持輪と前記四個の軟性保持輪は交互的に配置され、且つ前記籠体を介して隣接し、前記籠体の一つの側面に籠ドアが設けられ、前記剛性保持輪は折り曲げられない保持輪であり、前記軟性保持輪は折り曲げ可能な保持輪であることを特徴とする」ものである。
【０００３】
ペット用給水器として、例えば特許文献２に開示されている。このようなペット用給水器は、金属製の線材で形成されているペットケージ等の柵体を、固定具によって柵体の内外から挟むようにして取り付けられる。ペット用給水器には市販のペットボトルのような水容器がペットケージの外側に配置され、給水口がペットケージの内側に配置されて用いられる。
【先行技術文献】
【特許文献】
【０００４】
【特許文献１】実用新案登録３１６３１８７号公報
【特許文献２】特開２００４−２１５６１３号公報
【発明の概要】
【発明が解決しようとする課題】
【０００５】
特許文献１に開示された軟質シート部材を壁体として用いたものでは、特許文献２に開示されたペット用給水器を取り付けることができない。なぜなら、軟質シート部材であるため、重量のあるペットボトルを取り付けたペット用給水具を支持することができないからである。
【０００６】
本発明はかかる課題を解決するためになされたものであり、壁体が軟質シート部材で形成されているにもかかわらず、ペット用給水具を取り付けることができるペット飼育用空間形成具を提供することを目的としている。
【課題を解決するための手段】
【０００７】
（１）本発明に係るペット飼育用空間形成具は、フレームと、該フレームを包み込むと共にペット飼育用空間の壁体を構成する軟質シート部材とを備えたペット飼育用空間形成具であって、前記軟質シート部材からなる壁体に形成された上下に延びるスリット部と、該スリット部を挟む両側の前記軟質シート部材に上下に延びる骨部材を取り付けてなり、柵体を内外から挟持して取り付けるペット用給水具を前記スリット部に取り付け可能にしたことを特徴とするものである。
【０００８】
（２）また、上記（１）に記載のものにおいて、前記スリット部の両側に袋部が形成され、骨部材は該袋部に挿入されていることを特徴とするものである。
【０００９】
（３）また、上記（１）又は（２）に記載のものにおいて、前記スリット部の上下方向の途中において、前記スリット部を跨いで軟質シート部材を連結する連結部材が取り付けられ、スリット部の隙間が開くのを規制したことを特徴とするものである。
【００１０】
（４）また、上記（１）乃至（３）のいずれかに記載のものにおいて、前記ペット飼育用空間形成具は、ペットサークル又はペットケージであることを特徴とするものである。
【発明の効果】
【００１１】
本発明に係るペット飼育用空間形成具は、フレームと、該フレームを包み込むと共にペット飼育用空間の壁体を構成する軟質シート部材とを備えたペット飼育用空間形成具であって、前記軟質シート部材からなる壁体に形成された上下に延びるスリット部と、該スリット部を挟む両側の軟質部材に上下に延びる骨部材を取り付けてなることにより、壁体が軟質部材で形成されているにもかかわらず、柵体を内外から挟持して取り付けるペット用給水具を取り付けることができる。
【図面の簡単な説明】
【００１２】
【図１】本発明の一実施の形態に係るペットサークルの斜視図である。
【図２】本発明の一実施の形態に係るペットサークルの構造を説明する説明図である。
【図３】本発明の一実施の形態に係るペットサークルの要部を説明する説明図である。
【図４】本発明の一実施の形態に係るペットサークルの使用状態を説明する説明図である。
【図５】図４を斜め上方から見た図である。
【図６】本発明に係るペット飼育用空間形成具に用いるペット用給水具の説明図である。
【図７】本発明の一実施の形態に係るペットサークルの折り畳み手順の説明図である（その１）。
【図８】本発明の一実施の形態に係るペットサークルの折り畳み手順の説明図である（その２）。
【図９】本発明の一実施の形態に係るペットサークルの折り畳み手順の説明図である（その３）。
【図１０】本発明の一実施の形態に係るペットサークルの折り畳み手順の説明図である（その４）。
【図１１】本発明の一実施の形態に係るペットサークルの他の態様の説明図である。
【発明を実施するための形態】
【００１３】
本実施の形態においてはペット飼育用空間形成具の一例としてペットサークルを例に挙げて説明する。
本実施の形態に係るペットサークル１は、金属製のフレーム３と、該フレーム３を包み込むと共にペットサークル１の壁体を構成する軟質シート部材５とを備えている。
以下、詳細に説明する。
【００１４】
＜フレーム＞
フレーム３は、金属製の線状の部材からなり（図３参照）、矩形の枠状に形成されたものである。ペットサークル１は、６個の同形状の矩形枠状のフレーム３を、壁体を形成する軟質シート部材５で包み込み、かつ軟質シート部材５で連結することによって、６面の壁体を有するペットサークル１を形成している。
【００１５】
＜軟質シート部材＞
軟質シート部材５は、ペットサークル１の壁体を形成するものであり、その素材は特に限定されず布製のものを広く含む。繊維の素材としては、ポリエステル、綿、ナイロン、毛、麻、レーヨン、ポリウレタン等を挙げることができる。６面の壁体のうち、４面については、上半部がメッシュ状生地５ａで形成され、下半部がメッシュのない生地５ｂで形成されている。他の２面については、上側がメッシュのない生地５ｂで形成され、下側がメッシュ状生地５ａで形成されており、メッシュ状生地５ａで形成された部位が開閉可能な扉７になっている。壁体の一部をメッシュ状生地５ａで形成することにより、ペットサークル１内にいるペットの視認性を高めている。ペットサークル１の天井面には、メッシュ状生地５ａからなる図示しない天井用シート部材を取り付けても良い。
壁体の一つの面には、図１に示すように、上下に延びるスリット部９が設けられている。
【００１６】
＜スリット部＞
スリット部９は、図１に示すように、メッシュ状生地５ａの部分からメッシュのない生地５ｂの部分に亘るように形成されている。そして、スリット部９を挟む両側の軟質シート部材５には、逆Ｕ字状に形成された金属製の骨部材１１が取り付けられている（図２）。
スリット部９の両側には、図３に示すように、袋部１３が形成され、骨部材１１は袋部１３に挿入され、骨部材１１を挿入後、袋部１３の上部を縫い付けることで骨部材１１は外部から見えないようになっている。
袋部１３を形成したことで、骨部材１１を袋部１３に挿入するだけでよく、骨部材１１の軟質シート部材５への取付けを容易にしている。
【００１７】
スリット部９を上記のように構成したことにより、柵体を内外から挟持して取り付けるペット用給水具１５を、図４、図５に示すように、スリット部９に取り付けることができる。
ペット用給水具１５は、特許文献１に開示されたものであり、図６に示すように、合成樹脂成形品からなりペットケージ等に取付けられる固定具１７と、この固定具１７をペットケージ等に固定するための固定ねじ部１９と、合成樹脂成形品からなり固定具１７に着脱自在に装着される給水具２１とから構成されている。
【００１８】
ペット用給水具１５を、スリット部９に取り付ける際には、固定具１７をスリット部９におけるサークル外側に、固定ネジをサークル内側にそれぞれ配置して、固定ネジを固定具１７に締め付けることで、スリット部９をサークル内外から挟むようにして取り付ける。給水用のペットボトル２３は給水具２１のペットボトル装着部２５（図６参照）へ下向きに取り付ける（図４参照）。
【００１９】
ペット用給水具１５に給水用のペットボトル２３を装着した状態ではかなりの重量となるが、スリット部９の周囲に骨部材１１が入っていることにより、軟質シート部材５がしなることがなく、ペット用給水具１５の姿勢を正しい状態に保持することができる。
特に、骨部材１１が逆Ｕ字状をしており、スリット部９の上端部で連結された形状であるため、骨部材１１の剛性が高くなっており、ペット用給水具１５を取り付けたときに、スリットの両側の骨部材１１が内外にずれるのを防止している。
【００２０】
ペットサークル１は、折り畳みができるので、折り畳み方法を図７〜図１０に基づいて説明する。６面の壁体の連結部の一つを内側に折り込み（図７参照）、反対側の連結部をさらに内側に折り込み（図８参照）、全体をジグザグ状にして（図９参照）、一つの壁面と同じ面積の状態に折り畳む（図１０参照）。
【００２１】
以上のように、本実施の形態のペットサークル１は、壁面が軟質シート部材５で形成されているにもかかわらず、柵体を内外から挟持して取り付けるペット用給水器を取り付けることができる。
なお、スリット部９の上下の長さが長くなるとスリット部９の隙間が開きやすくなり、ペットが頭をスリット部９に突っ込むことが考えられる。これを防止するために、図１１に示すように、スリット部９の上下方向の途中において、スリット部９を跨いで軟質シート部材５を連結する連結部材２７を取り付けるようにするのが好ましい。
【００２２】
上記の説明では、ペット飼育用空間形成具の一例としてペットサークルを例に挙げて説明したが、本発明のペット飼育用空間形成具はペットサークルに限定されるものではなく、例えばペットを入れて運ぶためのペットケージや、室内においてペットの移動範囲を規制するための柵体などを含み、ペット飼育用空間を形成する壁体が軟質シート部材で形成されているものを広く含む。
【符号の説明】
【００２３】
１  ペットサークル
３  フレーム
５  軟質シート部材
５ａ  メッシュ状生地
５ｂ  メッシュのない生地
７  扉
９  スリット部
１１  骨部材
１３  袋部
１５  ペット用給水具
１７  固定具
１９  固定ねじ部
２１  給水具
２３  ペットボトル
２５  ペットボトル装着部
２７  連結部材
【図１】
0006290740.tif 000002
【図２】
0006290740.tif 000003
【図３】
0006290740.tif 000004
【図４】
0006290740.tif 000005
【図５】
0006290740.tif 000006
【図６】
0006290740.tif 000007
【図７】
0006290740.tif 000008
【図８】
0006290740.tif 000009
【図９】
0006290740.tif 000010
【図１０】
0006290740.tif 000011
【図１１】
0006290740.tif 000012